(57)【要約】【課題】装置のコンパクト化を行い、かつ作業性を向上させる籾摺機を提供する。【解決手段】籾を籾摺ロール１１ｃで摺る籾摺部１１と、籾摺部１１から得られた混合米を選別する風選部１２と、風選部１２で選別された粃を搬送する粃搬送装置７と、風選部１２で選別された籾と玄米とをさらに選別する選別部１８とを備え、風選部１２の風選路１２ａに有する粃排出樋１４と、選別部１８からの返り籾を籾還元スロワ１６に流入させるための返り籾入口部１６ａとの間に粃搬送装置７を風選部枠８に沿って設けるものである。加えて、粃排出樋１４の下方であって、粃搬送装置７の樋底に切替シャッタ２５を設けるとともに、風選部１２で選別された粃を粃搬送装置７を介して、選別部１８からの返り籾と併せて、籾還元スロワ１６により籾摺部に還元させる。【選択図】図１
2007144281.tif 000002
【特許請求の範囲】
【請求項１】
籾を籾摺ロールで摺る籾摺部と、
前記籾摺部から得られた混合米を選別する風選部と、
前記風選部で選別された粃を搬送する粃搬送装置と、
前記風選部で選別された籾と玄米とをさらに選別する選別部と、
を備える籾摺機において、
前記風選部の風選路に有する粃出口と、前記選別部からの返り籾を籾還元スロワに流入させるための返り籾入口部との間に前記粃搬送装置を前記風選部枠に沿って設けることを特徴とする籾摺機。
【請求項２】
前記粃出口の下方であって、前記粃搬送装置の樋底に切替シャッタを設けることを特徴とする、請求項１に記載の籾摺機。
【請求項３】
前記風選部で選別された粃を前記粃搬送装置を介して、前記選別部からの返り籾と併せて、前記籾還元スロワにより前記籾摺部に還元させることを特徴とする、請求項１に記載の籾摺機。
【発明の詳細な説明】
【技術分野】
【０００１】
本発明は、籾摺機において、籾を籾摺りすることにより得られる混合米中の粃を再度籾摺部に還元しうる粃搬送装置に関する。
【背景技術】
【０００２】
従来の籾摺機３１には、籾を籾摺ロールで籾摺りすることにより得られた玄米や籾、粃などの混合米中の粃を、図５に示すように粃搬送装置（粃揚穀筒）３２で籾ホッパー３３に還元して、無駄なく玄米を得るために再度籾とともに籾摺を行うというものがある（特許文献１）。
【０００３】
【特許文献１】特開平１１−３１９５９１号公報
【発明の開示】
【発明が解決しようとする課題】
【０００４】
しかし、このような従来の籾摺機３１では、粃揚穀筒３２が機体外側に配置されているため、機体全体が大きくなり、装置のコンパクト化が図れないほか、粃揚穀筒３２の粃還元出口３２ａが籾ホッパ３３を塞ぐようにこの籾ホッパ上に配置されるので、籾を供給する作業が不便であることから、作業性が低下していた。
そこでこの発明の目的は、装置のコンパクト化を行い、かつ作業性を向上させる籾摺機を提供することにある。
【課題を解決するための手段】
【０００５】
このため請求項１に記載の発明は、籾を籾摺ロールで摺る籾摺部と、前記籾摺部から得られた混合米を選別する風選部と、前記風選部で選別された粃を搬送する粃搬送装置と、前記風選部で選別された籾と玄米とをさらに選別する選別部と、を備える籾摺機において、前記風選部の風選路に有する粃出口と、前記選別部からの返り籾を籾還元スロワに流入させるための返り籾入口部との間に前記粃搬送装置を前記風選部枠に沿って設けることを特徴とする。
【０００６】
請求項２に記載の発明は、請求項１に記載の籾摺機において、前記粃出口の下方であって、前記粃搬送装置の樋底に切替シャッタを設けることを特徴とする。
【０００７】
請求項３に記載の発明は、請求項１に記載の籾摺機において、前記風選部で選別された粃を前記粃搬送装置を介して、前記選別部からの返り籾と併せて、前記籾還元スロワにより前記籾摺部に還元させることを特徴とする。
【発明の効果】
【０００８】
請求項１に記載の発明によれば、籾を籾摺ロールで摺る籾摺部と、籾摺部から得られた混合米を選別する風選部と、風選部で選別された粃を搬送する粃搬送装置と、風選部で選別された籾と玄米とをさらに選別する選別部と、を備える籾摺機において、風選部の風選路に有する粃出口と、選別部からの返り籾を籾還元スロワに流入させるための返り籾入口部との間に粃搬送装置を風選部枠に沿って設けるので、籾摺部で選別された粃と、選別部から還元された籾とを併せて、籾還元スロワにより籾摺部に還元させることができる。従って、粃搬送装置が機体外に大きく出ることなく装置のコンパクト化が図れるとともに、粃搬送装置が籾ホッパーを塞ぐことなく作業性を向上させることができる。
【０００９】
請求項２に記載の発明によれば、粃出口の下方であって、粃搬送装置の樋底に粃を機外へ排出させる切替シャッタを設けるので、籾摺部で選別された粃だけを機外に排出させることができる。従って、用途に応じた選別を行うことができ、作業性を向上させることができる。
【００１０】
請求項３に記載の発明によれば、風選部で選別された粃を粃搬送装置を介して、選別部からの返り籾と併せて、籾還元スロワにより籾摺部に還元させるので、選別して還元された粃と籾を効率よく再度籾摺することができる。従って、粃搬送装置が機体外に大きく出ることなく装置のコンパクト化が図れるとともに、粃搬送装置が籾ホッパを塞ぐことなく作業性を向上させることができる。
【発明を実施するための最良の形態】
【００１１】
以下図面を参照しつつ本発明を実施するための最良の形態について説明する。
図１は、この発明の一例としての籾摺機の右側面図、図２は籾摺機の平面図、図３は籾摺機の背面図、図４は図１における籾摺機内部の側面模式図、図５は粃搬送装置付近を拡大した斜視図である。
【００１２】
この例の籾摺機１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃搬送装置７と籾還元スロワ１６とが連設される。
【００１３】
図４は、籾摺機１の内部構造を示す模式図である。主軸１１ａと副軸１１ｂとからなる籾摺ロール１１ｃを有する籾摺部１１の下方には、籾摺ロール１１ｃで籾摺され、得られた粃や玄米などの混合米が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の粃（小米を含む）が落下する粃排出樋１４、さらに粃排出樋１４の後部には、混合米中の籾や玄米が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する渡し樋１７を有し、この渡し樋１７の下方には選別部１８が備えられる。この選別部１８は、渡し樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１７】
なお、符号２３は、籾摺機１を運転操作する操作盤で、装置各部を駆動制御する不図示のコントローラが内臓されている。
【００１８】
ここで、籾摺機１を使用して籾摺作業を行うときは、籾ホッパ２に籾を供給し、操作盤２３の図示しないスイッチにより機体各部を駆動させ、籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
また、上記風選路１２ａで風選された比較的軽い粃（小米を含む）は、粃出口１４から排出され、一方、重量の重い玄米と籾摺を損ねた籾との混合米は受樋１５に落下し、混合米揚穀機３で揚穀されて混合米タンク４に供給された後、渡し樋１７および分配ケース１８ａを介して揺動選別板１８ｂに供給される。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０を落下し、受樋１５を介して再度選別部１８に搬送され、玄米は玄米用流路２１から玄米揚穀機２３を介して機外に取り出される。また、籾は籾用流路１９から返り籾入口部１６ａを経て、この返り籾入口部１６ａの下方であって、返り籾入口部１６ａに連通される返り籾出口部１６ｂから流入した籾還元スロワ１６を介して籾摺部１１に還元され、再度籾摺される。
【００２３】
次に、粃搬送装置７について、その具体的構成を説明する。四角筒形の粃搬送装置７は、図５に示すように、風選路１２ａに有する粃出口１４から風選部１２を背面に有する風選部枠８に沿って籾還元スロワ１６の背面に有する選別部１８からの返り籾入口部１６ａに向って斜設される。また、粃搬送装置７下端部には駆動モータ２４が備えられており、この駆動モータ２４により粃搬送装置７の胴部筒内に有する不図示の螺旋が、粃出口１４と返り籾入口部１６ａとの間で駆動される。なお、図５では籾還元スロワ１６の底部一部分のみを記している。
【００２４】
さらに、粃搬送装置７下部の樋底には、粃出口１４から排出される粃を機外に排出させるための切替シャッタ２５が設けられる。この切替シャッタ２５は、その下方にある程度の大きさを有する粃の受け箱が設置できる程度の高さを持つ粃搬送装置７下部の樋底に設けられる。
【００２５】
そこで、風選部１２を経て粃出口１４より排出される粃は、粃出口１４に連通される粃搬送装置７内に流入した後、螺旋により返り籾入口部１６ａまで搬送され、返り籾出口部１６ｂより籾還元スロワ１６内に流入することで、この粃を返り籾入口部１６ａより返り籾出口部１６ｂを介して籾還元スロワ１６内に流入する選別部１８からの返り籾と、籾還元スロワ１６内で合流させ、これら粃と籾との混合米が籾還元スロワ１６によって籾摺部１１に戻され、再度籾摺される。
【００２６】
また、粃出口１４より排出される粃を籾摺部１１に戻さずに、機外に排出させたいときは、切替シャッタ２５を開けることで、樋底部を開口し、粃出口１４から排出される粃が不図示の開口部から直下に設置される不図示の受け箱などに流下し、機外に排出される。
【００２７】
以上詳述したように、この例の籾摺機１は、籾を籾摺ロール１１ｃで摺る籾摺部１１と、籾摺部１１から得られた混合米を選別する風選部１２と、風選部１２で選別された粃を搬送する粃搬送装置７と、風選部１２で選別された籾と玄米とをさらに選別する選別部１８とを備え、風選部１２の風選路１２ａに有する粃出口１４と、選別部１８からの返り籾を籾還元スロワ１６に流入させるための返り籾入口部１６ａとの間に粃搬送装置７を風選部枠８に沿って設けるものである。加えて、粃出口１４の下方であって、粃搬送装置７の樋底に切替シャッタ２５を設けるとともに、風選部１２で選別された粃を粃搬送装置７を介して、選別部１８からの返り籾と併せて、籾還元スロワ１６により籾摺部に還元させる。
【００２８】
なお、粃搬送装置７の形状は四角筒形に限定されず、螺旋を内設でき、風選部枠８に沿ってコンパクトに設置できる形状であればよい。
【図面の簡単な説明】
【００２９】
【図１】本発明の籾摺機の一例を示す側面図である。
【図２】本発明の籾摺機の平面図である。
【図３】本発明の籾摺機の背面図である。
【図４】図１の籾摺機の内部構造を示す模式図である。
【図５】図１の籾摺機の粃搬送装置付近を拡大した斜視図である。
【図６】従来の籾摺機を示す斜視図である。
【符号の説明】
【００３０】
１    籾摺機
２    籾ホッパ
３    混合米揚穀機
３ａ，６ａ    バケット
４    混合米タンク
５    籾殻排出筒
６    玄米揚穀機
７    粃搬送装置
８    風選部枠
９    仕上米出口
１１    籾摺部
１１ａ    主軸１１ａと副軸
１１ｂ    副軸
１１ｃ    籾摺ロール
１２    風選部
１２ａ    風選路
１３    吸引ファン
１４    粃粃排出樋
１５    混合米受樋
１６    籾還元スロワ
１６ａ    返り籾入口部
１６ｂ    返り籾出口部
１７    渡し樋
１８    選別部
１８ａ    分配ケース
１８ｂ    揺動選別板
１８ｃ    籾仕切板
１８ｄ    玄米仕切板
１９    籾用流路
２０    混合米用流路
２１    玄米用流路
２２    切替弁
２３    操作盤
２４    駆動モータ
２５    切替シャッタ
【図１】
2007144281.tif 000003
【図２】
2007144281.tif 000004
【図３】
2007144281.tif 000005
【図４】
2007144281.tif 000006
【図５】
2007144281.tif 000007
【図６】
2007144281.tif 000008